(57)【特許請求の範囲】
【請求項１】
遠心ファンを回転させるモータ部と、上記遠心ファンを囲い、当該遠心ファンが送風する風を導くケーシング部と、このケーシングを揺動させる揺動部と、を備え、上記揺動部が、上記ケーシングを駆動する駆動モータ部と、この駆動モータ部の軸に取り付けられ、当該軸の回転運動を揺動運動に変換するクランク部と、このクランク部の一端に連結されると共に、上記ケーシング部の側面部と連結して当該ケーシング部に揺動運動を伝達する伝達部と、上記遠心ファンモータの軸を内包したファンフレーム筒部の外周面に挿入され、上記ケーシング部の揺動運動を円滑にするベアリング部と、このベアリング部の外輪面に回転自在に取り付けられ、上記ケーシング部の軸側側面部に設けられた筒穴が外挿入される円筒状のスペーサ部と、を具備したことを特徴とする送風機。
【請求項２】
上記ケーシング部と上記遠心ファン部との他端部間に、上記遠心ファン７の軸の他端外周面に取り付けられたベアリングと、このベアリングの外輪面に挿入され、上記遠心ファンの回転と上記ケーシング部の揺動動作とを分離する円筒状分離部材と、この円筒状分離部材の外周面に挿入され、かつ上記ケーシング部の他端側面部に設けられた筒穴が外挿入される段付筒結合部材と、この段付筒結合部材の上記円筒状分離部材の挿入反対側の筒内側に取り付けられたベアリングと、このベアリングの内輪面に挿入される軸を有する支持部材と、を具備したことを特徴とする請求項１に記載の送風機。
【請求項３】
上記遠心ファンのモータ部が両軸モータからなり、該両軸モータの軸のそれぞれに上記遠心ファンと上記ケーシング部とを備えたものにおいて、上記揺動部が上記ケーシングの一方に伝達した揺動運動を連結板を介して他方のケーシング部に伝達することを特徴とする請求項１または請求項２のいずれかに記載の送風機。
【請求項４】
上記円筒状のスペーサ部が、樹脂等の高分子材料で形成されたことを特徴とする請求項１から請求項３までのいずれかに記載の送風機。
【請求項５】
突起部が、上記円筒状のスペーサ部の外周面に設けられたことを特徴とする請求項１から請求項３までのいずれかに記載の送風機。
【発明の詳細な説明】
【０００１】
【発明の属する技術分野】
この発明は、遠心ファンを回転させると共に、ケーシングを揺動させるながら送風する送風機に関するものである。
【０００２】
【従来の技術】
従来の送風機を図４、図５及び図６によって説明する。
なお、図４は全体の斜視図、図５は遠心ファン、そのケーシング、及びその揺動部の分解斜視図、図６は遠心ファン、ケーシング、及びその揺動部の断面図である。
これらの図４、５、及び６に示すように、従来の送風機１０は、二つのケーシング３、５と、これらのケーシング３，５に内臓されたそれぞれの遠心ファン７、９と、これらの遠心ファン７、９を回転させると共に、ケーシング３，５を揺動させる揺動部２０とを備えている。なお、揺動部２０はカバーで囲われている。
【０００３】
また、揺動部２０は、遠心ファン７と軸３０ａを介して連結された単相モータ３０と、この単相モータの軸３０ａに取り付けられた図示しない歯車と連結した減速歯車を有し、この減速歯車からの回転力をクランク５５とロッド６０に伝達する伝達駆動部３３と、略コの字状で、このコの字状の両側板部にそれぞれの突起４１ｃ、４１ｄを有し、当該突起４１ｃ、４１ｄがロッド穴６０ｃを介してケーシング３、５の穴３ｃ、５ｃに挿入され、伝達駆動部３３からの揺動運動をケーシング３、５に伝達する連結板４１と、この連結板４１の切り欠き部４１ａ，４１ｂに遊挿された単相モータ３０の軸３０ａを内包したファンフレーム筒部の外周に挿入され、ケーシング３、５の揺動運動を円滑にするベアリング５３と、このベアリング５３を収納し、その外周面にケーシング３、５の軸方向側面部に設けられた筒穴３ａ、５ａが挿入される金属性の凹形状のスペーサ５０と、の主要な部品で構成されている。
【０００４】
なお、連結板４１の棒状の突起４１ｃはロッド穴６０ｃを介してケーシング３の穴３ｃに挿入され、連結板４１の棒状の突起４１ｄは直接ケーシング５の穴５ｂに挿入される。
また、単相モータ３０の軸３０ａは、ケーシング３の両端面の一方の面に設けられた筒穴３ａを介して遠心ファン７の端部の軸穴７ａと、遠心ファン７の端部の軸穴７ｂとに係合固定され、ケーシング３の両端面の他方の面に設けられた筒穴３ｂに回転自在に支持される。
【０００５】
上記のように構成された送風機１０の動作を図４及び図５を用いて説明する。まず、図示していない単相電源が投入されると、単相モータ３０が駆動し、ファン７が回転するので、空気がケーシング３、５の吸込口から吸われ、吹出口から吹出される。
なお、この時、軸３０ａに取り付けられた図示しない歯車と連結した伝達駆動部３３の減速歯車も回転し、この減速歯車の回転力をクランク５５により揺動運動に変えられ、ロッド６０と連結板４１を介してケーシング３、５に伝達されるので、ケーシング３、５は揺動しながらその吹出口から空気を吹出す。
【０００６】
【発明が解決しようとする課題】
上記のように構成された従来の送風機は、単相モータの軸の回転により遠心ファンを回転させると共に、この軸の回転運動を歯車を介して揺動部に伝達し、揺動運動に変換し、連結板を介して金属性のスペーサに支持されたケーシングを揺動させるので、回転軸と揺動軸の平行同心精度や、各軸が挿入される穴の相互位置精度が確保されなければ、金属性のスペーサとケーシングの穴間で所謂きしみ音が生じるため、高度な加工、組立性が要求され、煩雑になるという問題点があった。
【０００７】
また、駆動構成部品が多く、きしみ音が発生しやすいという問題点があった。
【０００８】
この発明は、上記のような課題を解決するためになされたもので、駆動構成部品が少なく、互いの位置が簡単に精度良く容易に組み立てられ、きしみ音が発生しにくく、経済的で、信頼性の高い送風機を提供することを目的とする。
【０００９】
【課題を解決するための手段】
この発明に係る遠心装置においては、遠心ファンを回転させるモータ部と、上記遠心ファンを囲い、当該遠心ファンが送風する風を導くケーシング部と、このケーシングを揺動させる揺動部と、を備え、上記揺動部が、上記ケーシングを駆動する駆動モータ部と、この駆動モータ部の軸に取り付けられ、当該軸の回転運動を揺動運動に変換するクランク部と、このクランク部の一端に連結されると共に、上記ケーシング部の側面部と連結して当該ケーシング部に揺動運動を伝達する伝達部と、上記遠心ファンモータの軸を内包したファンフレーム筒部の外周面に挿入され、上記ケーシング部の揺動運動を円滑にするベアリング部と、このベアリング部の外輪面に回転自在に取り付けられ、上記ケーシング部の軸側側面部に設けられた筒穴が外挿入される円筒状のスペーサ部と、を具備したものである。
【００１０】
また、上記ケーシング部と上記遠心ファン部との他端部間に、上記遠心ファン７の軸の他端外周面に取り付けられたベアリングと、このベアリングの外輪面に挿入され、上記遠心ファンの回転と上記ケーシング部の揺動動作とを分離する円筒状分離部材と、この円筒状分離部材の外周面に挿入され、かつ上記ケーシング部の他端側面部に設けられた筒穴が外挿入される段付筒結合部材と、この段付筒結合部材の上記円筒状分離部材の挿入反対側の筒内側に取り付けられたベアリングと、このベアリングの内輪面に挿入される支持部材の軸と、を具備したものである。
【００１１】
また、上記遠心ファンのモータ部が両軸モータからなり、該両軸モータの軸のそれぞれに上記遠心ファンと上記ケーシング部とを備えたものにおいて、上記揺動部が上記ケーシングの一方に伝達した揺動運動を連結板を介して他方のケーシング部に伝達するものである。
【００１２】
また、  上記円筒状のスペーサ部が、樹脂等の高分子材料で形成されたものである。
【００１３】
また、突起部が、上記円筒状のスペーサ部の外周面に設けられたものである。
【００１４】
【発明の実施の形態】
実施の形態１．
この発明の実施の形態１について図１から図３を用いて説明する。
なお、図１はの駆動部の分解斜視図、図２は図１の駆動部の平面図、図３は図２の断面図である。
また、これらの図の符号と、従来図の符号と同一ものは同じものを示すので、説明を省略する。
【００１５】
また、これらの図１から図３に示すように、遠心ファン７を回転させる第１の単相モータとしての遠心ファンモータ２０１と、この遠心ファン７の一部を囲い、当該遠心ファン７が吸い込んで吹出す空気を導く吸込口と吹出す吹出口とを有するケーシング３と、このケーシング３を揺動する揺動部２００とからなる。
【００１６】
また、この揺動部２００は、上記ケーシング３を駆動する駆動モータ２０５と、この駆動モータ２０５の軸に取り付けられ、上記軸の回転運動を揺動運動に変換するクランク２０７と、このクランク２０７の一端に係合すると共に、ケーシング３の側部と連結して当該ケーシング３に揺動運動を伝達する伝達部であるロッド２１１と、上記駆動モータ２０５を固定するＬ字形状の取付け板２５０と、遠心ファンモータ２０１の軸２０１ａを内包したファンフレーム筒部２０１ｃの外周面に挿入され、ケーシング３の揺動運動を円滑にするベアリング３０５と、このベアリング３０５の外輪面に回転自在に取り付けられ、ケーシング３の軸側側面部に設けられた筒穴３ａがその外周面に挿入される円筒状のスペーサ３００と、で構成されている。
【００１７】
また、遠心ファン７の軸方向幅が長い時、遠心ファンモータ２０１の軸２０１ａは、遠心ファン７の羽根車の両端面の中央（中心）に設けられた軸穴７ａ、ｂに挿入されて固定される。
なお、軸穴７ｂ側には、ケーシング３の揺動運動と遠心ファン７の回転運動とをそれぞれ円滑に行わせるために、ベアリングがそれぞれ設けられ、しかも、後述するようにそれぞれの回転・揺動動作を分離する手段が取り付けられている。しかし、遠心ファン７の軸方向幅が短く、片持構造でも良い時は、これらの部品、手段は不要となる。
【００１８】
また、円筒状のスペーサ３００の外輪面に突起３００ａを設け、この突起３００ａにケーシング３の筒穴３ａの円筒先端面を当て止るようにすると、組立性が良くなる。
【００１９】
また、円筒状のスペーサ３００は、騒音防止の観点から好ましくは樹脂やゴム等の高分子材料で形成するのが良い。
【００２０】
なお、ケーシング及び遠心ファンが遠心ファンモータ２０１の両サイドにそれぞれある場合は、ケーシング３とケーシング５とを連結する連結板２１５を設け、この連結板２１５で結合させれば、一つの駆動モータ２０５で揺動できる。
【００２１】
上記のように構成された駆動部２００の概略の組立について説明する。
まず、遠心ファン用モータ２０１の軸２０１ａを遠心ファン７の両端面の中央部の軸穴７ａ、７ｂに挿入して固定する。
次に、ベアリング３０５の内輪を遠心ファンモータ２０１のファンフレーム筒部２０１ｃの筒外周面に係合し、ベアリング３０５の外輪面に円筒状のスペーサ３００の内面を回転自在に係合させる。
次に、この円筒状のスペーサ３００の外周面に摺動させながらケーシング３の両端面の一方に設けられた筒穴３ａの先端部が円筒状スペーサ３００の突起３００ａに当接するまで挿入し、嵌合させる。（なお、突起３００ａがない時は、所定の位置まで挿入する。）
【００２２】
次に、ケーシング３の両端面の他方に設けられた筒穴３ｂ側にも、遠心ファン７の軸の他端外周面にベアリングを取り付け、この取り付けられたベアリングの外輪面に回転自在に挿入、遠心ファン７の回転とケーシング３の揺動動作を分離する円筒状分離部材４０１を挿入し、この挿入した円筒状分離部材４０１の外周面に円筒状スペーサ３００に相当する段付筒結合部材４０３を挿入嵌合し、この挿入嵌合した段付結合部材４０３の挿入反対側の筒内側にベアリング４００を回転自在に挿入し、このベアリングの内輪面に支持部材７０の軸を挿入した後、支持部材７０を固定する。
【００２３】
上記のように組立られたの動作を図１から図３を用いて説明する。
まず、図示していない単相電源が投入されると、単相モータ３０が駆動し、ファン７が回転するので、空気がケーシング３の吸込口から吸われ、吹出口から吹出される。
また、この時、駆動モータ２０５も駆動されるので、その軸に連結されたクランク２０７により回転運動が揺動運動に変えられ、ロッド２１１と連結板２１５とを介してケーシング３に伝達されるので、ケーシング３は揺動しながらその吹出口から空気を吹出す。
【００２４】
【発明の効果】
この発明は、以上説明したように構成されているので、以下に示すような効果を奏する。
【００２５】
遠心ファンを回転駆動させるモータ部と、上記遠心ファンを囲い、当該遠心ファンが送風する風を導くケーシング部と、このケーシングを揺動させる揺動部と、を備え、上記揺動部が、上記ケーシングを駆動する駆動モータ部と、この駆動モータ部の軸に取り付けられ、当該軸の回転運動を揺動運動に変換するクランク部と、このクランク部の一端に連結されると共に、上記ケーシング部の側面部と連結して当該ケーシング部に揺動運動を伝達する伝達部と、上記遠心ファンモータの軸を内包したファンフレーム筒部の外周面に挿入され、上記ケーシング部の揺動運動を円滑にするベアリング部と、このベアリング部の外輪面に回転自在に取り付けられ、上記ケーシング部の軸側側面部に設けられた筒穴３ａが外挿入される円筒状のスペーサ部と、を具備し、上記遠心ファンを回転させると共に、上記ケーシングを揺動させるので、駆動構成部品が少なく、互いの位置が簡単に精度良く組み立てられるため、組立性が良く、きしみ音が発生しにくく、経済的で、信頼性の高い送風機が得られる。
【００２６】
また、上記ケーシング部と上記遠心ファン部との他方端部間に、上記遠心ファン７の軸の他端外周面に取り付けられたベアリングと、このベアリングの外輪面に挿入され、上記遠心ファン７の回転と上記ケーシング部の揺動動作とを分離する円筒状分離部材と、この円筒状分離部材の外周面に挿入され、かつ上記ケーシング部の他端側面部に設けられた筒穴３ｂが外挿入される段付筒結合部材と、この段付筒結合部材の上記円筒状分離部材の挿入反対側の筒内側に挿入されるベアリングと、このベアリングの内輪面に挿入される軸を有する支持部材と、を具備したので、羽根車が軸方向に長くなってもスムースに回転できるようになるため、さらにきしみ音が発生しにくく、信頼性の高い送風機が得られる。
【００２７】
また、上記遠心ファンのモータ部が両軸モータからなり、該両軸モータの軸のそれぞれに上記遠心ファンと上記ケーシング部とを備えたものにおいて、上記揺動部が上記ケーシングの一方に伝達した揺動運動を連結板を介して他方のケーシング部に伝達するので、きしみ音が発生しにくく、経済的な送風機が得られる。
【００２８】
また、上記円筒状のスペーサ部が、樹脂等の高分子材料で形成されたので、更に、音の発生を防止した信頼性の高い送風機が得られる。
【００２９】
また、突起部が、上記円筒状のスペーサ部の外周面に設けられたので、組立性の良い送風機が得られる。
【図面の簡単な説明】
【図１】この発明の実施の形態１における全体の分解斜視図である。
【図２】この発明の実施の形態１における揺動部のの正面図である。
【図３】この発明の実施の形態１における揺動部の断面図である。
【図４】従来の全体の斜視図である。
【図５】従来の遠心ファン、そのケーシング、及びその揺動部の分解斜視図の分解斜視図である。
【図６】従来の遠心ファン、ケーシング、及びその揺動部の断面図である。
【符号の説明】
３  ケーシング、  ７  遠心ファン、  ２０１  遠心ファン用モータ（第１の単相モータ）、  ２０１ａ  軸、  ２０１ｃ  フレーム、  ２０５  駆動モータ、  ２０７  クランク、  ２１１  ロッド、  ２１５  連結板、  ３００  円筒状のスペーサ、  ３００ａ  突起、  ３０５  ベアリング、  ４００  ベアリング、  ４０１  円筒状分離部材、  ４０３  段付筒結合部材。
【図１】
0003557856.tif 000002
【図２】
0003557856.tif 000003
【図３】
0003557856.tif 000004
【図４】
0003557856.tif 000005
【図５】
0003557856.tif 000006
【図６】
0003557856.tif 000007